(57)【要約】  【課題】自動電源オフ機能と自動電源オン機能の両方を適切に動作させる。  【解決手段】通常モード、及び前記通常モードよりも低消費電力の省電力モードで動作する電子機器は、電源オフ状態に移行するための第１の条件が成立した後、第１の省電力モードに移行するための第２の条件が成立する場合、前記第１の省電力モードに移行し、前記第２の条件が成立しない場合、前記電源オフ状態に移行し、前記第１の省電力モードの間に前記第１の条件が成立しても、前記電源オフ状態に移行せずに前記第１の省電力モードを継続し、前記第１の省電力モードの間に第３の条件が成立した場合に、前記通常モードに移行する。【選択図】図１
2017185636.tif 000002
【特許請求の範囲】
【請求項１】
通常モード、及び前記通常モードよりも低消費電力の省電力モードで動作する電子機器
であって、
制御部を有し、
前記制御部は、
電源オフ状態に移行するための第１の条件が成立した後、第１の省電力モードに移行す
るための第２の条件が成立する場合、前記第１の省電力モードに移行し、前記第２の条件
が成立しない場合、前記電源オフ状態に移行し、
前記第１の省電力モードの間に前記第１の条件が成立しても、前記電源オフ状態に移行
せずに前記第１の省電力モードを継続し、前記第１の省電力モードの間に第３の条件が成
立した場合に、前記通常モードに移行する
電子機器。
【請求項２】
請求項１に記載の電子機器であって、
少なくとも１つの通信接続を確立可能であり、
前記制御部は、前記第１の条件として、前記通信接続の全て又は前記通信接続のうちの
所定の１つ以上の通信接続が切断されたか否かを判定する
電子機器。
【請求項３】
請求項１又は２に記載の電子機器であって、
前記制御部は、前記第２の条件として、前記第１省電力モードの設定が有効か否かを判
定する
電子機器。
【請求項４】
請求項１又は２に記載の電子機器であって、
前記制御部は、前記第３の条件として、外部機器からの要求又はユーザーの操作を受け
付けたか否かを判定する
電子機器。
【請求項５】
請求項１に記載の電子機器であって、
前記制御部は、前記電源オフ状態、又は前記第１の省電力モードに移行する前に、前記
通常モードよりも低消費電力であり前記第１の省電力モードよりも高消費電力である第２
の省電力モードに移行し、前記第１の条件及び前記第２の条件の成立を判定する
電子機器。
【請求項６】
請求項２に記載の電子機器であって、
無線接続を含む複数の前記通信接続を確立可能であり、
前記制御部は、少なくとも前記無線接続が切断されている場合に、前記第１の条件が成
立したと判定する
電子機器。
【請求項７】
通常モード、及び前記通常モードよりも低消費電力の省電力モードで動作する電子機器
の制御方法であって、
前記電子機器は、
電源オフ状態に移行するための第１の条件が成立した後、第１の省電力モードに移行す
るための第２の条件が成立する場合、前記第１の省電力モードに移行し、前記第２の条件
が成立しない場合、前記電源オフ状態に移行し、
前記第１の省電力モードの間に前記第１の条件が成立しても、前記電源オフ状態に移行
せずに前記第１の省電力モードを継続し、前記第１の省電力モードの間に第３の条件が成
立した場合に、前記通常モードに移行する
制御方法。
【発明の詳細な説明】
【技術分野】
【０００１】
本発明は、電子機器、及び制御方法に関する。
【背景技術】
【０００２】
省電力モードを有する画像形成装置が知られている（例えば、特許文献１）。この画像
形成装置は、例えば、印刷指示を受けた場合に、省電力モードを解除し、印刷処理を実行
する。
【先行技術文献】
【特許文献】
【０００３】
【特許文献１】特開２０１４−１２４８０９号公報
【発明の概要】
【発明が解決しようとする課題】
【０００４】
近年のプリンターは、自動電源オフ機能を備えるものがある。このプリンターは、例え
ば、所定時間の経過等の条件が成立した場合に、電源オフ状態に移行する。また、近年の
プリンターは、自動電源オン機能を備えるものがある。このプリンターは、例えば、通常
の省電力モードよりも低消費電力の待機モードで印刷処理要求を待ち、印刷処理要求を受
け付けた場合に、アイドル状態に移行して印刷処理を実行する。
【０００５】
自動電源オフ機能と自動電源オン機能の両方を有するプリンターを想定する。このプリ
ンターは、例えば、待機モード中に所定の条件が成立すると、電源オフ状態への移行処理
を開始してしまう。
【０００６】
本発明の目的は、自動電源オフ機能と自動電源オン機能の両方を適切に動作させること
にある。
【課題を解決するための手段】
【０００７】
上記の課題を解決する本発明の一態様は、通常モード、及び前記通常モードよりも低消
費電力の省電力モードで動作する電子機器であって、制御部を有し、前記制御部は、電源
オフ状態に移行するための第１の条件が成立した後、第１の省電力モードに移行するため
の第２の条件が成立する場合、前記第１の省電力モードに移行し、前記第２の条件が成立
しない場合、前記電源オフ状態に移行し、前記第１の省電力モードの間に前記第１の条件
が成立しても、前記電源オフ状態に移行せずに前記第１の省電力モードを継続し、前記第
１の省電力モードの間に第３の条件が成立した場合に、前記通常モードに移行する。これ
により、電子機器は、第１の省電力モードの間に電源オフ処理を開始せずに、第１の省電
力モードを継続することができる。
【０００８】
上記の電子機器は、少なくとも１つの通信接続を確立可能であり、前記制御部は、前記
第１の条件として、前記通信接続の全て又は前記通信接続のうちの所定の１つ以上の通信
接続が切断されたか否かを判定してもよい。これにより、電子機器は、印刷指示等の処理
要求を受け付けることができなくなった場合に電源オフ状態に移行する、利便性の高い機
能を提供できる。
【０００９】
上記の電子機器において、前記制御部は、前記第２の条件として、前記第１省電力モー
ドの設定が有効か否かを判定してもよい。これにより、電子機器は、適切に自動電源オン
機能（第１の省電力モード）を実行することができる。
【００１０】
上記の電子機器において、前記制御部は、前記第３の条件として、外部機器からの要求
又はユーザーの操作を受け付けたか否かを判定してもよい。これにより、電子機器は、低
消費電力状態で待機して要求を受け付けることができる。
【００１１】
上記の電子機器において、前記制御部は、前記電源オフ状態、又は前記第１の省電力モ
ードに移行する前に、前記通常モードよりも低消費電力であり前記第１の省電力モードよ
りも高消費電力である第２の省電力モードに移行し、前記第１の条件及び前記第２の条件
の成立を判定してもよい。これにより、電子機器は、第１の省電力モード又は電源オフ状
態移行する前に、低消費電力状態で判定を行うことができる。
【００１２】
上記の電子機器は、無線接続を含む複数の前記通信接続を確立可能であり、前記制御部
は、少なくとも前記無線接続が切断されている場合に、前記第１の条件が成立したと判定
してもよい。これにより、電子機器は、無線通信機能が有効である場合には、電源オフ状
態に移行しないように制御することができる。
【００１３】
上記の課題を解決する本発明の他の態様は、通常モード、及び前記通常モードよりも低
消費電力の省電力モードで動作する電子機器の制御方法であって、前記電子機器は、電源
オフ状態に移行するための第１の条件が成立した後、第１の省電力モードに移行するため
の第２の条件が成立する場合、前記第１の省電力モードに移行し、前記第２の条件が成立
しない場合、前記電源オフ状態に移行し、前記第１の省電力モードの間に前記第１の条件
が成立しても、前記電源オフ状態に移行せずに前記第１の省電力モードを継続し、前記第
１の省電力モードの間に第３の条件が成立した場合に、前記通常モードに移行する。これ
により、電子機器は、第１の省電力モードの間に電源オフ処理を開始せずに、第１の省電
力モードを継続することができる。
【図面の簡単な説明】
【００１４】
【図１】本発明の一実施形態に係るプリンターの構成の一例を示すブロック図である。
【図２】同実施形態に係るプリンターの動作状態の遷移例を示す状態遷移図である。
【図３】同実施形態に係るプリンターの動作の一例を示すフローチャートである。
【発明を実施するための形態】
【００１５】
本発明の一実施形態について、図面を参照して説明する。本実施形態は、電子機器の一
例であるプリンターに関する。
【００１６】
図１は、本発明の一実施形態に係るプリンターの構成の一例を示すブロック図である。
【００１７】
プリンター１は、自動電源オフ機能と自動電源オン機能の両方を有する。プリンター１
は、例えば、全ての通信接続が切断されている場合に、電源オフ状態への移行を開始する
。また、プリンター１は、自動電源オン機能が有効な場合は、電源オン待機状態に移行す
る。これらの機能については、後に詳述する。
【００１８】
プリンター１は、コントローラー２（本発明の「制御部」に相当する）と、印刷エンジ
ン４と、操作パネル５と、無線通信部６と、有線通信部７と、接続インターフェイス８（
接続Ｉ／Ｆ）とを有する。
【００１９】
コントローラー２は、プリンター１の動作を統合的に制御する。コントローラー２は、
例えば、ＣＰＵ（Central Processing Unit）等の演算装置を備えるＳｏＣ３（System on
a Chip）、ＲＡＭ（Random Access Memory）等の揮発性の記憶装置、ＲＯＭ（Read Only
Memory）等の不揮発性の記憶装置、コントローラー２と他のユニットを接続するインタ
ーフェイス回路、これらを互いに接続するバス、などを備えるコンピューターによって実
現することができる。もちろん、コントローラー２は、画像処理回路など各種の処理回路
を備えていてもよい。ＳｏＣ３は、例えば、メインＣＰＵ３１と、サブＣＰＵ３２とを備
える。サブＣＰＵ３２は、例えば、メインＣＰＵ３１よりも小さい回路規模を有し、メイ
ンＣＰＵ３１よりも低消費電力で動作する。
【００２０】
上記のコントローラー２の機能の少なくとも一部は、例えば、ＣＰＵがＲＯＭに格納さ
れた１つ以上のプログラムをＲＡＭに読み出して実行することによって実現することがで
きる。各プログラムは、例えば持ち運び可能な記憶媒体から読み出してプリンター１にイ
ンストールしたり、ネットワーク上のサーバーからダウンロードしてプリンター１にイン
ストールしたりすることができる。コントローラー２の機能の少なくとも一部は、例えば
、画像処理回路等の処理回路によって実現してもよい。コントローラー２の機能の少なく
とも一部は、例えば、ＣＰＵ及び処理回路の両方によって実現されてもよい。
【００２１】
印刷エンジン４は、コントローラー２からの指示に従って印刷媒体に画像を形成する。
印刷エンジン４は、例えば、インクジェット方式、レーザー方式等の方式の印刷エンジン
であり、機械部品、センサー、モーター、駆動回路、制御回路等により構成される。
【００２２】
操作パネル５は、ユーザーの操作入力を受け付け、操作に応じた操作信号をコントロー
ラー２に出力する。また、操作パネル５は、コントローラー２の処理結果を、文字、グラ
フ、表、アニメーション、その他の画像として表示する。操作パネル５は、コントローラ
ー２の処理結果を、音声出力してもよい。操作パネル５は、例えば、キー、タッチセンサ
ー、タッチパネルなどを含む入力装置と、例えば、ＬＣＤ（Liquid Crystal Display）、
ＯＬＥＤ（Organic Electro-Luminescence Display）、スピーカーなどを含む出力装置と
によって実現することができる。
【００２３】
無線通信部６は、例えば、無線ＬＡＮ規格であるＷｉ−Ｆｉ規格に準拠した通信機能を
実装した通信モジュールである。コントローラー２は、無線通信部６を介して、ＰＣ（Pe
rsonal Computer）等の外部機器と通信することができる。
【００２４】
有線通信部７は、例えば、有線ＬＡＮ規格に準拠した通信機能を実装した通信モジュー
ルである。コントローラー２は、有線通信部７を介して、ＰＣ等の外部機器と通信するこ
とができる。
【００２５】
接続Ｉ／Ｆ８は、例えば、ＵＳＢ（Universal Serial Bus）規格に準拠した接続及び通
信を行うインターフェイス装置である。コントローラー２は、接続Ｉ／Ｆ８を介して、接
続Ｉ／Ｆ８に接続されたデバイス（例えば、フラッシュＲＯＭを搭載した記憶媒体）にア
クセスし、デバイスから情報を読み出すことができる。
【００２６】
本実施形態のプリンター１は、複数の動作状態（「動作モード」ともいう）で動作する
ことができる。動作状態は、消費電力の高い順に、例えば、下記の４つの状態を含む。
（１）アイドル状態（本発明の「通常モード」に相当する）
（２）スリープ状態（本発明の「第２の省電力モード」に相当する）
（３）電源オン待機状態（本発明の「第１の省電力モード」に相当する）
（４）電源オフ状態（本発明の「電源オフ状態」に相当する）
【００２７】
アイドル状態（１）は、例えば、プリンター１が印刷指示を受け付けて即印刷処理を実
行可能な状態である。例えば、コントローラー２、印刷エンジン４、操作パネル５、無線
通信部６、有線通信部７、及び接続Ｉ／Ｆ８には、電源から電力が供給され、いつでも使
える状態である。
【００２８】
スリープ状態（２）は、例えば、プリンター１の一部のユニットが省電力状態に設定さ
れた状態である。例えば、印刷エンジン４、及び操作パネル５は、省電力状態に設定され
る。印刷エンジン４は、例えば、一部の機構を停止状態にする。操作パネル５は、例えば
、操作パネル５のディスプレイのバックライトを消灯する。
【００２９】
電源オン待機状態（３）は、例えば、プリンター１の一部のユニットが電源オフ状態に
設定され、メインＣＰＵ３１も電源オフ状態に設定された状態である。例えば、印刷エン
ジン４、操作パネル５、コントローラー２の備えるＲＡＭ等の記憶装置、及びメインＣＰ
Ｕ３１は、電源オフ状態に設定される。無線通信部６、有線通信部７、及び接続Ｉ／Ｆ８
は、例えば、省電力状態に設定される。この状態では、サブＣＰＵ３２は、起動しており
、例えば、電源ボタン等の所定ボタンの操作、無線通信部６又は有線通信部７から出力さ
れる所定信号（例えば、ＬＡＮからのウェイクアップ信号に応じて出力される信号）、接
続Ｉ／Ｆ８へのデバイスの抜き差し等を監視している。
【００３０】
電源オフ状態（４）は、プリンター１の電源がオフされた状態である。プリンター１は
、例えば、電源ボタン等の所定ボタンが操作された場合に、起動し、アイドル状態（１）
に復帰する。
【００３１】
なお、プリンター１の無線通信機能は、有効又は無効に設定できてもよい。無線通信機
能が無効に設定されている場合、無線通信部６は、アイドル状態（１）及びスリープ状態
（２）において、例えば電源オフ状態に設定される。プリンター１の有線通信機能は、有
効又は無効に設定できてもよい。有線通信機能が無効に設定されている場合、有線通信部
７は、アイドル状態（１）及びスリープ状態（２）において、例えば電源オフ状態に設定
される。接続Ｉ／Ｆ８の機能は、有効又は無効に設定できてもよい。接続Ｉ／Ｆ８の機能
が無効に設定されている場合、接続Ｉ／Ｆ８は、アイドル状態（１）及びスリープ状態（
２）において、例えば電源オフ状態に設定される。
【００３２】
ＳｏＣ３は、上述のプリンター１の各動作状態の遷移を制御する。この点については、
以下に詳述する。
【００３３】
図２は、プリンターの各動作状態の遷移例を示す状態遷移図である。
【００３４】
アイドル状態（１）とスリープ状態（２）は、相互に遷移可能である。スリープ状態（
２）と電源オン待機状態（３）は、相互に遷移可能である。電源オフ状態（４）は、スリ
ープ状態（２）から遷移可能である。電源オフ状態（４）は、アイドル状態（１）から遷
移可能であってもよい。アイドル状態（１）は、電源オフ状態（４）から遷移可能である
。電源オフ状態（４）は、電源オン待機状態（３）から遷移することができない。
【００３５】
図３は、プリンターの動作の一例を示すフローチャートである。図３は、プリンター１
の動作状態の遷移を制御するコントローラー２の処理を示している。図３は、自動電源オ
フ機能が有効に設定され、自動電源オン機能が有効又は無効に設定されている場合を示し
ている。
【００３６】
プリンター１が電源オンにされると、コントローラー２は、アイドル状態（１）に遷移
する（ステップＳ１）。例えば、コントローラー２、印刷エンジン４、操作パネル５、無
線通信部６、有線通信部７、及び接続Ｉ／Ｆ８は、電力が供給され、起動する。なお、無
線通信機能が無効に設定されている場合、無線通信部６は、例えば電源オフ状態に設定さ
れる。また、有線通信機能が無効に設定されている場合、有線通信部７は、例えば電源オ
フ状態に設定される。また、接続Ｉ／Ｆ８の機能が無効に設定されている場合、接続Ｉ／
Ｆ８は、例えば電源オフ状態に設定される。
【００３７】
アイドル状態（１）のコントローラー２は、イベントを監視する（ステップＳ２）。例
えば、メインＣＰＵ３１は、印刷指示等の処理要求をイベントとして監視する。処理要求
を検出した場合（ステップＳ２でＹ）、メインＣＰＵ３１は、当該処理要求に応じた処理
（例えば、印刷処理）を実行し、監視を続行する。一方、所定時間（例えば、５分）以上
の間、処理要求を検出しなかった場合（ステップＳ２でＮ）、メインＣＰＵ３１は、処理
をステップＳ３に進める。
【００３８】
所定時間以上の間イベントが検出されなかった場合（ステップＳ２でＮ）、コントロー
ラー２は、スリープ状態（２）に移行する（ステップＳ３）。例えば、メインＣＰＵ３１
は、上述したようにプリンター１の一部のユニットを省電力状態に設定する。
【００３９】
スリープ状態（２）のコントローラー２は、イベントを監視する（ステップＳ４）。例
えば、メインＣＰＵ３１は、印刷指示等の処理要求をイベントとして監視する。処理要求
を検出した場合（ステップＳ４でＹ）、メインＣＰＵ３１は、処理をステップＳ５に進め
る。処理要求を検出していない場合（ステップＳ４でＮ）、メインＣＰＵ３１は、処理を
ステップＳ６に進める。
【００４０】
イベントを検出した場合（ステップＳ４でＹ）、コントローラー２は、アイドル状態（
１）に移行する（ステップＳ５）。例えば、メインＣＰＵ３１は、プリンター１の一部の
省電力状態のユニットを通常状態に設定する。それから、メインＣＰＵ３１は、ステップ
Ｓ４で検出されたイベントに応じた処理（例えば、印刷処理等）を実行し、再びステップ
Ｓ２の処理を実行する。
【００４１】
イベントを検出していない場合（ステップＳ４でＮ）、コントローラー２は、通信接続
が切断されているか否かを判定する（ステップＳ６）。
【００４２】
本実施形態の自動電源オフ機能では、全ての通信接続（無線通信部６の無線接続、有線
通信部７の有線接続、及び接続Ｉ／Ｆ８のデバイス接続を含む）が切断された状態で、所
定時間（例えば３０分）経過した場合に、プリンター１の電源オフ処理が実行される。
【００４３】
無線接続が切断された状態とは、例えば、無線通信機能が無効に設定されることにより
無線通信部６が信号を送受信しないように物理的に無効にされた状態である。有線接続が
切断された状態とは、例えば、有線通信機能が無効に設定されることにより有線通信部７
が信号を送受信しないように物理的に無効にされた状態、あるいは、有線通信機能が有効
に設定されており且つ有線通信部７にＬＡＮケーブルが接続されていない状態である。デ
バイス接続が切断された状態とは、例えば、接続Ｉ／Ｆ８の機能が無効に設定されること
により接続Ｉ／Ｆ８が信号を送受信しないように物理的に無効にされた状態、あるいは、
接続Ｉ／Ｆ８の機能が無効に設定されおり且つ接続Ｉ／Ｆ８にデバイスが接続されていな
い状態である。
【００４４】
例えば、メインＣＰＵ３１は、全ての通信接続の状態に基づいて判定を行う。全ての通
信接続が切断されていないと判定した場合（ステップＳ６でＮ）、メインＣＰＵ３１は、
処理をステップＳ４に進める。一方、全ての通信接続が切断された状態で所定時間が経過
したと判定した場合（ステップＳ６でＹ）、メインＣＰＵ３１は、処理をステップＳ７に
進める。
【００４５】
全ての通信接続が切断された状態で所定時間が経過したと判定した場合（ステップＳ６
でＹ）、コントローラー２は、電源オフ処理を実行開始する（ステップＳ７）。例えば、
メインＣＰＵ３１は、プリンター１の一部のユニットを電源オフ状態に設定する。
【００４６】
電源オフ処理の開始後、コントローラー２は、自動電源オン機能が有効か否かを判定す
る（ステップＳ８）。例えば、メインＣＰＵ３１は、ＲＡＭやＲＯＭ等の記憶装置に格納
されている設定情報を参照し、自動電源オン機能が有効に設定されているかどうかを判定
する。
【００４７】
自動電源オン機能が有効でない場合（ステップＳ８でＮ）、コントローラー２は、電源
オフ状態（４）に移行する（ステップＳ９）。例えば、メインＣＰＵ３１は、プリンター
１の全部のユニットを電源オフ状態に設定し、メインＣＰＵ３１も電源オフ状態に設定す
る。
【００４８】
自動電源オン機能が有効である場合（ステップＳ８でＹ）、コントローラー２は、電源
オン待機状態（３）に移行する（ステップＳ１０）。例えば、メインＣＰＵ３１は、プリ
ンター１の一部のユニットを電源オフ状態に設定し、メインＣＰＵ３１も電源オフ状態に
設定する。ここで、メインＣＰＵ３１は、無線通信部６、有線通信部７、及び接続Ｉ／Ｆ
８を、省電力状態に設定する。
【００４９】
電源オン待機状態（３）のコントローラー２は、イベントを監視する（ステップＳ１１
）。例えば、サブＣＰＵ３２は、無線通信部６又は有線通信部７から所定信号が出力され
か否かをイベントとして監視する。また、例えば、サブＣＰＵ３２は、ユーザーによる電
源ボタン等の所定ボタンが操作されたか否かをイベントとして監視する。また、例えば、
サブＣＰＵ３２は、ユーザーによる接続Ｉ／Ｆ８へのデバイスの抜き差しをイベントとし
て監視する。ステップＳ１１では、ステップＳ６のような通信接続が切断されているか否
かの判定は実行されない。イベントを検出していない間（ステップＳ１１でＮ）、サブＣ
ＰＵ３２は、ステップＳ１１の処理を実行する。
【００５０】
イベントを検出した場合（ステップＳ１１でＹ）、コントローラー２は、スリープ状態
（２）に移行する（ステップＳ１２）。例えば、サブＣＰＵ３２は、メインＣＰＵ３１を
起動する。また、例えば、起動したメインＣＰＵ３１は、プリンター１の一部の電源オフ
状態のユニットを起動して省電力状態に設定する。また、例えば、起動したメインＣＰＵ
３１は、無線通信部６、有線通信部７、及び接続Ｉ／Ｆ８を、通常状態に設定する。
【００５１】
それから、コントローラー２は、アイドル状態（１）に移行する（ステップＳ１３）。
例えば、メインＣＰＵ３１は、プリンター１の一部の省電力状態のユニットを通常状態に
設定する。それから、メインＣＰＵ３１は、再びステップＳ２の処理を実行する。
【００５２】
以上、本発明の一実施形態について説明した。例えば、本実施形態のプリンター１は、
電源オフ状態（４）に移行する際に、自動電源オン機能が有効であれば、電源オン待機状
態（３）に移行する。また、プリンター１は、電源オン待機状態（３）の間には、全ての
通信接続の切断を判定しない。これにより、プリンター１は、電源オン待機状態（３）の
間に全ての通信接続が切断されても、電源オフ処理を開始せずに、電源オン待機状態（３
）を継続することができる。また、プリンター１は、自動電源オフ機能と自動電源オン機
能の両方が有効の場合に、適切に自動電源オン機能を実行することができる。
【００５３】
また、例えば、プリンター１は、全ての通信接続が切断されている場合に、電源オフ状
態（４）に移行する。これにより、プリンター１は、印刷指示等の処理要求を受け付ける
ことができなくなった場合に電源オフ状態に移行する、利便性の高い機能を提供できる。
【００５４】
また、例えば、プリンター１は、電源オフ状態（４）に移行する際に、自動電源オン機
能が有効であれば、電源オン待機状態（３）に移行する。これにより、プリンター１は、
自動電源オフ機能と自動電源オン機能の両方が有効の場合に、適切に自動電源オン機能を
実行することができる。
【００５５】
また、例えば、プリンター１は、電源オン待機状態（３）の間に、外部機器からの要求
やユーザーからの操作を受け付けた場合に、アイドル状態（１）へ移行する。これにより
、プリンター１は、低消費電力状態で待機して要求を受け付けることができる。
【００５６】
また、例えば、プリンター１は、電源オン待機状態（３）又は電源オフ状態（４）移行
する前に、スリープ状態（２）に移行し、所定の移行条件の成立を判定する。これにより
、プリンター１は、電源オン待機状態（３）又は電源オフ状態（４）移行する前に、低消
費電力状態で判定を行うことができる。
【００５７】
また、例えば、プリンター１は、無線通信部６の通信接続が切断されている場合に、電
源オフ状態（４）に移行する。これにより、プリンター１は、無線通信機能が有効である
場合には、電源オフ状態（４）に移行しないように制御することができる。
【００５８】
本発明は、上述の実施形態に限られるものではなく、その要旨を逸脱しない範囲におい
て種々の態様で実施することが可能である。例えば、上記の各実施形態には、下記のよう
な変形を加えてもよい。また、実施形態及び各変形例は、適宜２つ以上を組み合わせても
よい。
【００５９】
通信接続は、上述した３つ（無線通信部６、有線通信部７、及び接続Ｉ／Ｆ８）に限ら
れない。例えば、通信接続は、ファクシミリ通信に使用される通信部を含んでいてもよい
。また、例えば、通信接続の数は、上述した３つに限られず、１つ、２つ、あるいは４つ
以上であってもよい。
【００６０】
例えば、コントローラー２は、ステップＳ６において、全ての通信接続でなく１つ以上
の所定の通信接続（例えば、無線接続と有線接続）が切断されているか否かを判定しても
よい。判定対象の通信接続は、ユーザーにより選択可能であってもよい。
【００６１】
例えば、コントローラー２は、ステップＳ６の処理の直後にステップＳ８の処理を実行
し、自動電源オン機能が無効な場合（ステップＳ８でＮ）にステップＳ７の処理を実行し
てもよい。
【００６２】
例えば、コントローラー２は、自動電源オン機能が有効な場合（ステップＳ８でＹ）に
、一旦電源オフ状態（４）に移行し、その後再起動し、アイドル状態（１）及びスリープ
状態（２）を経由して、電源オン待機状態（３）に移行してもよい。この場合、アイドル
状態（１）からスリープ状態（２）への移行は、所定時間（例えば、５分）等の移行条件
を判定しなくてよい。また、スリープ状態（２）から電源オン待機状態（３）への移行は
、自動電源オン機能の設定等の移行条件を判定しなくてよい。
【００６３】
上述の実施形態で説明したプリンター１の構成は、その構成を理解容易にするために主
な処理内容に応じて分類したものである。構成要素の分類の仕方や名称によって、本願発
明が制限されることはない。プリンター１の構成は、処理内容に応じて、さらに多くの構
成要素に分類することもできる。また、１つの構成要素がさらに多くの処理を実行するよ
うに分類することもできる。また、各構成要素の処理は、１つのハードウェアで実行され
てもよいし、複数のハードウェアで実行されてもよい。また、各構成要素の処理又は機能
の分担は、本発明の目的及び効果を達成できるのであれば、上述したものに限られない。
【００６４】
上述の実施形態で説明したフローチャートの処理単位は、プリンター１の処理を理解容
易にするために、主な処理内容に応じて分割したものである。処理単位の分割の仕方や名
称によって、本願発明が制限されることはない。プリンター１の処理は、処理内容に応じ
て、さらに多くの処理単位に分割することもできる。また、１つの処理単位がさらに多く
の処理を含むように分割することもできる。さらに、上記のフローチャートの処理順序も
、図示した例に限られるものではない。
【００６５】
本発明の電子機器は、プリンターに限られない。電子機器は、スキャナー、マルチファ
ンクションプリンター、プロジェクター、テレビ、ビデオレコーダー等の、複数の動作状
態を有する機器を含むことができる。
【符号の説明】
【００６６】
１…プリンター、２…コントローラー、３…ＳｏＣ、４…印刷エンジン、５…操作パネル
、６…無線通信部、７…有線通信部、８…接続インターフェイス、３１…メインＣＰＵ、
３２…サブＣＰＵ
【図１】
2017185636.tif 000003
【図２】
2017185636.tif 000004
【図３】
2017185636.tif 000005